(57)【要約】  本発明は、高電圧放電を用いた、流し込み可能な材料（１）を破片化するための方法に関する。材料（１）から成る材料流が、処理液（５）に浸漬された状態で、材料流を運ぶ搬送装置（６）により、電極ユニット（２）のそばを通過案内される一方で、電極ユニット（２）に高電圧パルスが供給されて、高電圧による絶縁破壊が材料流の材料（１）を貫いて生ぜしめられる。電極ユニット（２）の各電極（１２，１３）は、上方から処理液（５）中に浸漬されており、間に高電圧による絶縁破壊が生ぜしめられる各電極（１２，１３）は、それぞれ材料通過案内方向（Ｓ）に対して横方向に、所定の電極間隔をあけて向かい合っている。本発明により、処理ゾーンでの材料（１）の滞留時間を広範に、かつ事実上材料のピースサイズとは関係無く調整することができると共に、少なくとも処理ゾーンの領域では導電性の、手間がかかり高価である上に、激しい摩耗の影響を受ける搬送装置を省くことのできる、大量の流し込み可能な材料（１）を破片化するための連続的な方法を提供することが可能になる。
2018506429.tif 000002
【特許請求の範囲】
【請求項１】
高電圧放電を用いた、流し込み可能な材料（１）を破片化および／または弱化するための方法であって、
ａ）１つまたは複数の高電圧発生器（３）に対応配置されており、該高電圧発生器（３）により高電圧パルスを供給可能な電極ユニット（２）を用意するステップと、
ｂ）流し込み可能な材料（１）から成る材料流を、該材料流を運ぶ搬送装置（６；９，１０，１１）により、前記電極ユニット（２）のそばを通過させて案内し、このとき前記材料流を、処理液（５）中に浸漬させるステップと、
ｃ）前記材料流を、前記電極ユニット（２）のそばを通過させて案内する間に、前記電極ユニット（２）に高電圧パルスを供給することで、高電圧による絶縁破壊を、前記材料流を貫いて生じさせるステップと、を有し、
前記電極ユニット（２）の各電極（１２，１３）は、上方から前記処理液（５）中に浸漬されており、前記高電圧による絶縁破壊が間に生ぜしめられる前記各電極（１２，１３）は、それぞれ材料通過案内方向（Ｓ）に対して横方向に所定の電極間隔をあけて向かい合っている、流し込み可能な材料（１）を破片化および／または弱化するための方法。
【請求項２】
前記電極ユニット（２）の前記各電極（１２，１３）は、前記材料流に接触している、請求項1記載の方法。
【請求項３】
前記電極ユニット（２）の前記各電極（１２，１３）は、前記材料流中に浸漬されている、請求項２記載の方法。
【請求項４】
前記材料流は、所定の最大ピースサイズを上回らない、特に４０ｍｍ〜８０ｍｍの範囲の最大ピースサイズを上回らない材料塊（１）から形成されており、前記電極間隔は、それぞれ前記最大ピースサイズよりも大きくなっている、請求項１から３までのいずれか１項記載の方法。
【請求項５】
前記高電圧による絶縁破壊は、該高電圧による絶縁破壊が前記材料流の実質的に全幅にわたって生じるように発生させられる、請求項１から４までのいずれか１項記載の方法。
【請求項６】
前記材料流の前記材料（１）またはその一部が、前記電極ユニット（２）の下流側で、所望の目標サイズよりも大きなピースサイズを有する粗材料と、所望の目標サイズ以下のピースサイズを有する細かい材料とに分けられる、請求項１から５までのいずれか１項記載の方法。
【請求項７】
前記粗材料は、前記電極ユニット（２）の上流側で再び前記材料流に供給される、請求項６記載の方法。
【請求項８】
前記粗材料は、特に請求項１から７までのいずれか１項に応じた別の破片化方法または弱化方法を施される、請求項６記載の方法。
【請求項９】
前記材料流は、所定の最大ピースサイズを上回らない、特に４０ｍｍ〜８０ｍｍの範囲の最大ピースサイズを上回らない材料塊（１）から形成されているか、または該材料（１）を有しており、前記材料流の下面に対する前記各電極（１２，１３）の間隔は、前記最大ピースサイズよりも大きくなっている、請求項１から８までのいずれか１項記載の方法。
【請求項１０】
前記搬送装置（６；９，１０，１１）は少なくとも、該搬送装置（６；９，１０，１１）が前記材料流を、前記電極ユニット（２）のそばを通過させて案内する領域において、横断面で見て溝状に、特にＶ字形に形成されており、特に、前記流し込み可能な材料（１）が側方領域から中央に案内されるように形成されている、請求項１から９までのいずれか１項記載の方法。
【請求項１１】
前記材料流は、可撓性で非導電性の搬送ベルト（６）により前記電極ユニット（２）のそばを通過案内され、前記搬送ベルト（６）の縁部領域は、該搬送ベルト（６）が前記材料流を、前記電極ユニット（２）のそばを通過させて案内する領域では、上向きに湾曲しており、かつ特に前記搬送ベルト（６）は、その両端部の領域では平らになっている、請求項１から１０までのいずれか１項記載の方法。
【請求項１２】
前記搬送ベルト（６）の前記縁部領域の傾斜は調整される、請求項１１記載の方法。
【請求項１３】
前記材料流は、前記搬送装置もしくは前記搬送ベルト（６）により前記電極ユニット（２）のそばを通過案内される領域の下流側で、前記搬送装置もしくは前記搬送ベルト（６）により、特に前記材料流が前記搬送装置もしくは前記搬送ベルト（６）により前記処理液（５）から導出されるように、上流側へ送られる、請求項１から１２までのいずれか１項記載の方法。
【請求項１４】
材料通過案内方向（Ｓ）に、１０〜３５度の上昇角度を有する直線的な搬送ベルト（６）を使用する、請求項１３記載の方法。
【請求項１５】
前記搬送ベルト（６）により、該搬送ベルト（６）の引渡し端部から上流側に運ばれる前記材料流は、特に所定の目標サイズにまで破砕された材料片をふるい落とすための装置（３７，３８，４１）を介して、その下に位置する別の搬送ベルト（６）の供給端部に供給され、該別の搬送ベルト（６）により、前記材料流は特に請求項１から１４までのいずれか１項に応じた別の破片化方法および／または弱化方法に供給される、請求項１３または１４記載の方法。
【請求項１６】
前記電極ユニット（２）は、複数の電極対（１２，１３）または電極群（１３，１２，１３）を有しており、各前記電極対もしくは各前記電極群にはそれぞれ１つの専用の高電圧発生器（３）が対応配置されており、該高電圧発生器（３）によって専ら１つの対もしくは１つの群だけに、特に別の電極対または電極群とは無関係に、高電圧パルスが供給される、請求項１から１５までのいずれか１項記載の方法。
【請求項１７】
前記材料流は、金属材料と非金属材料とから成る複合体、特に廃棄物燃焼から生じるスラグ塊（１）を形成する、複数の材料塊（１）から形成されているか、または前記複数の材料塊（１）を含んでいる、請求項１から１６までのいずれか１項記載の方法。
【請求項１８】
前記処理液（５）は、５００μＳ／ｃｍを上回る導電率を有している、請求項１７記載の方法。
【請求項１９】
当該方法から生じた処理済みの前記材料（１）は、金属材料と非金属材料とに分けられ、特に強磁性金属と、非強磁性金属と、非金属材料とに分けられる、請求項１７または１８記載の方法。
【請求項２０】
前記材料流を貫いて高電圧による絶縁破壊を生じさせるために、前記電極ユニット（２）に、１００ＫＶ〜３００ＫＶの範囲、特に１５０ＫＶ〜２００ＫＶの範囲の高電圧パルスが供給される、請求項１から１９までのいずれか１項記載の方法。
【請求項２１】
前記材料流を貫いて高電圧による絶縁破壊を生じさせるために、前記電極ユニット（２）に、１パルスあたりの電力量が１００ジュール〜１０００ジュール、特に３００ジュール〜７５０ジュールの高電圧パルスが供給される、請求項１から２０までのいずれか１項記載の方法。
【請求項２２】
前記材料流を貫いて高電圧による絶縁破壊を生じさせるために、前記電極ユニット（２）に、０．５Ｈｚ〜４０Ｈｚの範囲、特に５Ｈｚ〜２０Ｈｚの範囲の周波数の高電圧パルスが供給される、請求項１から２１までのいずれか１項記載の方法。
【請求項２３】
前記材料流が前記電極ユニット（２）のそばを通過案内される際に、通過案内方向における前記材料流の延在長さ１ミリメートルにつき０．１〜２．０、特に０．５〜１．０の、高電圧による絶縁破壊が生ぜしめられる、請求項１から２２までのいずれか１項記載の方法。
【請求項２４】
請求項１から２３までのいずれか１項記載の方法を実施するための装置であって、
ａ）１つまたは複数の高電圧発生器（３）に対応配置されており、該高電圧発生器（３）により高電圧パルスを供給可能な電極ユニット（２）と、
ｂ）特に搬送ベルト（６）または搬送チェーンの形態の搬送装置（６；９，１０，１１）と、を有しており、該搬送装置（６；９，１０，１１）は少なくとも部分的に、処理液（５）で満たされた、または満たすことのできる槽（１６；２７）内に配置されており、前記搬送装置（６；９，１０，１１）を用いて、所定の運転中に、流し込み可能な破片化および／または弱化されるべき材料（１）から成る材料流を、前記処理液（５）に浸漬させた状態で前記電極ユニット（２）のそばを通過させて案内することができる一方で、前記電極ユニット（２）に高電圧パルスを供給することにより、高電圧による絶縁破壊が前記材料流を貫いて生ぜしめられるようになっており、
当該装置は、所定の運転中に前記電極ユニット（２）の前記各電極（１２，１３）が上方から前記処理液（５）中に浸漬されており、間に高電圧による絶縁破壊が生ぜしめられる前記各電極（１２，１３）は、それぞれ材料通過案内方向（Ｓ）に対して横方向に所定の電極間隔をあけて向かい合うように形成されている、装置。
【請求項２５】
当該装置は、所定の運転中に前記電極ユニット（２）の前記各電極（１２，１３）が、前記材料流と接触しているように形成されている、請求項２４記載の装置。
【請求項２６】
当該装置は、所定の運転中に前記電極ユニット（２）の前記各電極（１２，１３）が、前記材料流内に浸漬されており、特に前記材料流の下面に対して４０ｍｍを上回る、特に８０ｍｍを上回る間隔を有するように形成されている、請求項２５記載の装置。
【請求項２７】
前記電極間隔は、それぞれ４０ｍｍより大きく、特に８０ｍｍより大きい、請求項２４から２６までのいずれか１項記載の装置。
【請求項２８】
当該装置は、所定の運転中に前記材料流の実質的に全幅にわたり、高電圧による絶縁破壊を生ぜしめることができるように形成されている、請求項２４から２７までのいずれか１項記載の装置。
【請求項２９】
当該装置は、前記電極ユニット（２）の下流側に、前記材料流の前記材料（１）またはその一部を、所望の目標サイズよりも大きなピースサイズを有する粗材料と、所望の目標サイズ以下のピースサイズを有する細かい材料とに分けることができる装置（３７，３８，４１）を有している、請求項２４から２８までのいずれか１項記載の装置。
【請求項３０】
前記電極ユニット（２）は、複数の電極対（１２，１３）または電極群（１３，１２，１３）を有しており、各前記電極対もしくは各前記電極群には、それぞれ１つの専用の高電圧発生器（３）が対応配置されており、該高電圧発生器（３）により、専ら１つの前記対もしくは１つの前記群だけに、所定の運転中に高電圧パルスを供給することができる、請求項２４から２９までのいずれか１項記載の装置。
【請求項３１】
前記搬送装置（６；９，１０，１１）が前記材料流を前記電極ユニット（２）のそばを通過させて案内する領域では少なくとも、前記搬送装置（６；９，１０，１１）は横断面で見て溝状に、特にＶ字形に形成されており、これにより特に、流し込み可能な前記材料（１）が側方領域から中央に案内される、請求項２４から３０までのいずれか１項記載の装置。
【請求項３２】
前記搬送装置（６）は、可撓性で非導電性の搬送ベルト（６）を含み、該搬送ベルト（６）により前記材料流は、所定の運転中に前記電極ユニット（２）のそばを通過案内されるようになっており、前記搬送ベルト（６）の縁部領域は、該搬送ベルト（６）が前記材料流を前記電極ユニット（２）のそばを通過させて案内する領域では、上向きに湾曲しており、かつ特に、前記搬送ベルト（６）はその両端部の領域では平らになっている、請求項３１記載の装置。
【請求項３３】
前記搬送ベルト（６）の縁部領域の傾斜は調整可能である、請求項３２記載の装置。
【請求項３４】
前記搬送装置は、搬送ベルト（６）を有しており、該搬送ベルト（６）は、当該装置の所定の運転中に前記材料流が、前記搬送ベルト（６）により前記電極ユニット（２）のそばを通過案内される領域の下流側で、前記搬送ベルト（６）により上流側へ送られるように、特に前記材料流が前記搬送ベルト（６）により前記処理液（５）から導出されるように形成されている、請求項２４から３３までのいずれか１項記載の装置。
【請求項３５】
前記搬送ベルト（６）は、材料通過案内方向（Ｓ）に、１５〜３５度の上昇角度を有する直線的な搬送ベルトである、請求項３４記載の装置。
【請求項３６】
材料搬送方向（Ｓ）に連続的に配置された、請求項２４から３５までのいずれか１項記載の装置を複数有する設備であって、当該設備の所定の運転中に、上流側の第１の装置の前記搬送ベルト（６）により搬送される前記材料流が、該搬送ベルト（６）の引渡し端部から、特に所定の目標サイズにまで破砕された材料片をふるい落とすための装置（３７，３８）を介して、その下に位置する、材料搬送方向（Ｓ）において前記第１の装置に続く第２の装置の前記搬送ベルト（６）の供給端部に供給され、該搬送ベルト（６）により、前記材料流が前記第２の装置の前記電極ユニット（２）のそばを通過案内されると同時に、さらに破片化および／または弱化されるようになっている、設備。
【請求項３７】
非金属材料と金属材料とから成る複合体を形成している材料塊（１）、特に廃棄物燃焼から生じるスラグ塊（１）を破片化および／弱化するための、請求項２４から３５までのいずれか１項記載の装置または請求項３６記載の設備の使用。
【発明の詳細な説明】
【技術分野】
【０００１】
本発明は、各独立特許請求項の上位概念に記載の、高電圧放電を用いた、流し込み可能な材料を破片化および／または弱化するための方法、該方法を実施するための装置、このような装置を複数有する設備、ならびに前記装置または前記設備の使用に関する。
【背景技術】
【０００２】
種々様々な材料を、パルス化された高電圧放電を用いて破砕（破片化）すること、または、種々様々な材料を、後続の機械的な破砕処理においてより簡単に破砕することができるように弱化することは、従来技術から周知である。
【０００３】
高電圧放電を用いた、流し込み可能な材料の破片化および／または弱化については、今日では基本的に２つの異なる処理方法が知られている。
【０００４】
処理される材料の純度および／または目標粒径に関して、少量の材料もしくは厳密な基準値の場合には、材料の破片化および／または弱化は、閉鎖された処理容器内でのバッチ運転で行われ、処理容器内では、高電圧による絶縁破壊が材料を貫いて生ぜしめられる。
【０００５】
大量の材料の場合には、材料の破片化および／または弱化は１つの連続した処理で行われ、この処理では、破砕されるべき材料から成る材料流が、１つまたは複数の電極のそばを通過案内され、電極により、高電圧による絶縁破壊が材料を貫いて生ぜしめられる。電極のそばを通過する材料搬送は、重力搬送を用いて行われるか、同時に１つまたは複数の高電圧電極に対する対向電極として働く搬送装置を用いて行われる。前者の場合には、処理ゾーンにおける材料流もしくは材料の滞留時間が、極めて限定的にしか調整可能でなく、材料のピースサイズに大きく左右される、という問題が生じる。後者の場合には、少なくとも処理ゾーンの領域では導電性の、極めて手間がかかり高価である上に、激しい摩耗の影響を受ける搬送装置が必要とされる、という重大な欠点が生じる。
【発明の概要】
【発明が解決しようとする課題】
【０００６】
したがって、従来技術の上述した欠点を有さないか、または少なくとも部分的に回避する、高電圧放電を用いた、大量の流し込み可能な材料を破片化および／または弱化するための連続的な方法および装置を提供する、という課題が生じる。
【課題を解決するための手段】
【０００７】
この課題は、各独立特許請求項の対象によって解決される。
【０００８】
これによれば、本発明の第１の態様は、高電圧放電を用いた、流し込み可能な材料、特に廃棄物燃焼から出るスラグを破片化および／または弱化するための方法に関する。
【０００９】
破片化されるべきもしくは弱化されるべき材料から成る材料流を、処理液中に浸漬させ、材料流を運ぶ搬送装置により、１つまたは複数の高電圧電極と、高電圧電極に対応配置された対向電極とを備える電極ユニットのそばを通過させて案内する一方で、１つまたは複数の高電圧発生器により高電圧パルスを電極ユニットに供給することで、高電圧電極と、対応配置された対向電極との間に、高電圧による絶縁破壊を、材料流の材料を貫いて生ぜしめる。
【００１０】
高電圧電極と、これらに対応配置された対向電極とは、上方から処理液中に浸漬されており、高電圧による絶縁破壊が間に生ぜしめられる各電極は、それぞれ材料通過案内方向に対して横方向に所定の電極間隔をあけて向かい合っている。
【００１１】
このようにして、処理ゾーンでの材料滞留時間を広範に、かつ事実上材料のピースサイズとは関係無く調整することができると同時に、少なくとも処理ゾーンの領域では導電性の、手間がかかり高価である上に、激しい摩耗の影響を受ける搬送装置を省くことのできる、大量の流し込み可能な材料を破片化および／または弱化するための連続的な方法を提供することが可能である。
【００１２】
当該方法の１つの好適な実施形態では、高電圧による絶縁破壊が間に生ぜしめられる高電圧電極と対向電極とを、材料流に接触させる。
【００１３】
当該方法の１つの別の好適な実施形態では、高電圧電極と対向電極とは、材料流中に浸漬されてすらいる。
【００１４】
材料および破片化されるべき材料のピースサイズおよび／または処理液の種類もしくは質に応じて、上記の実施形態の一方または他方が、より好適な場合もある。
【００１５】
当該方法の１つの別の有利な実施形態では、材料流は、所定の最大ピースサイズを上回らない、好適には４０ｍｍ〜８０ｍｍの範囲の最大ピースサイズを有する材料塊から形成される。
【００１６】
好適には、電極間隔はそれぞれ、最大ピースサイズよりも大きくなっている。これにより、材料塊が、材料流中に浸漬された電極のそばで、各電極間を通り抜けて移動することができ、このことから、高電圧による絶縁破壊を材料塊に集中的に生ぜしめることが可能になる、という利点が生じる。またこれにより、高電圧による絶縁破壊を材料流に、実質的にその全幅にわたって生ぜしめることも比較的簡単に可能になり、このこともやはり好適である。
【００１７】
さらに好適には、材料流の下面、すなわち材料流を運ぶ搬送装置の上面に対する電極の間隔は、最大ピースサイズよりも大きくなっている。これにより、材料流と接触している電極または材料流中に浸漬された電極のところで、搬送装置の上面と電極との間に材料塊が挟み込まれる恐れがないという利点が生じ、これにより装置の運転確実性および耐用年数が大幅に改善される。
【００１８】
当該方法のさらに別の１つの好適な実施形態では、材料流の材料またはその一部が、電極ユニットの下流側で、所望の目標サイズよりも大きなピースサイズを有する粗材料と、所望の目標サイズ以下のピースサイズを有する細かい材料とに分けられる。
【００１９】
さらに好適には、粗材料は、電極ユニットの上流側で再び材料流に供給され、これにより再び電極ユニットのそばを通過案内されて、破片化もしくは弱化されることができ、または、粗材料は、別の破片化方法または弱化方法、特に本発明のこの第１の態様に応じた別の方法により、さらに破砕もしくは弱化されることができる。
【００２０】
当該方法のさらに別の１つの好適な実施形態では、少なくとも、搬送装置が材料流を、電極ユニットのそばを通過させて案内する領域において、横断面で見て溝状に、好適にはＶ字形に形成された搬送装置を使用する。これにより、流し込み可能な材料を側方領域から中央に案内することができるようになることから、高電圧による絶縁破壊を材料流の全幅にわたってほぼ完璧に生じさせることが簡単になる、という利点が生じる。
【００２１】
有利には、材料流は、可撓性で非導電性の搬送ベルトにより電極ユニットのそばを通過案内され、搬送ベルトの縁部領域は、搬送ベルトが材料流を電極ユニットのそばを通過させて案内する領域では、上向きに湾曲している。このような搬送ベルトは丈夫で保守整備が少なく、種々様々な構成およびサイズで市販されている。搬送ベルトの縁部領域の傾斜は、好適にはその時々の処理を最適化するために調整される。搬送ベルトは、両端部においては好適には平らになっており、これにより、縁部領域の所要の延伸が最小限になっている。
【００２２】
さらに好適には、材料流が搬送ベルトにより電極ユニットのそばを通過案内され、そこで高電圧による絶縁破壊により破片化もしくは弱化される領域の下流側で、材料流は搬送ベルトにより、好適には材料流が搬送ベルトにより処理液から導出されるように、上流側へ送られる。このようにして、処理済みの材料を処理液から取り出すための、手間のかかる付加的な装置を省くことができる。
【００２３】
このことは、電極ユニットのそばで材料流の材料通過案内方向に、特に１０〜３５度の上昇角度で上昇する直線的な搬送ベルトを使用することにより、特に簡単かつ廉価に実行することができる。
【００２４】
当該方法のさらに別の１つの好適な実施形態では、搬送ベルトにより、搬送ベルトの引渡し端部から上流側に運ばれる材料流は、好適には所定の目標サイズにまで破砕された材料片をふるい落とすための装置を介して、その下に位置する別の搬送ベルトの供給端部に供給され、別の搬送ベルトにより、材料流は特に本発明の第１の態様に応じた別の破片化方法および／または弱化方法に供給される。この場合、説明した上記方法は、多段式の破片化方法および／または弱化方法の一部に相当する。
【００２５】
好適には、本発明による方法で使用される電極ユニットは、複数の電極対または電極群を有しており、各電極対もしくは各電極群にはそれぞれ１つの専用の高電圧発生器が対応配置されており、１つの高電圧発生器によって、専ら１つの対もしくは１つの群だけに、有利には別の電極対または電極群とは無関係に、高電圧パルスが供給される。これにより、電極ユニットのそばを通過案内される材料流に対する、特に集中的な供給が可能になる。
【００２６】
電極対とは、ここでは高電圧発生器により高電圧パルスを供給される１つの高電圧電極と、この高電圧電極に対応配置された単一の対向電極とを組み合わせたものであって、これらの電極間で、高電圧による絶縁破壊が行われるものを意味する。
【００２７】
電極群とは、ここでは高電圧発生器により高電圧パルスを供給される１つの高電圧電極と、この高電圧電極に対応配置された複数の対向電極とを組み合わせたものであって、これらの電極間で、高電圧による絶縁破壊が行われるものを意味する。一般に、その時々の高電圧による絶縁破壊は、高電圧電極と、高電圧電極との間での絶縁破壊にちょうど最も好条件の１つの対向電極との間で行われる。
【００２８】
当該方法のさらに別の１つの好適な実施形態では、材料流は、金属材料と非金属材料とから成る複合体を形成する複数の材料塊から形成されるか、または複数の材料塊を含んでおり、これは例えば廃棄物燃焼から生じるようなスラグ塊の場合が当てはまる。このような材料を、本発明による方法を用いて破片化もしくは弱化した場合、本発明の利点が特に顕著に現れると共に、別の利点として、処理液、大抵は水、の質に対する要求が極めて低いために、処理液の調製にかかるコストがとりわけ低くなる。
【００２９】
相応してこのような方法では、有利には、５００μＳ／ｃｍを上回る導電率を有する処理液を用いて当該方法を実施する。
【００３０】
当該方法から生じた、処理済みの材料は、好適には金属材料と非金属材料とに分けられ、有利には強磁性金属と、非強磁性金属と、非金属材料とに分けられる。このようにして、処理済み材料の成分のリサイクルもしくは選択的廃棄が簡単になる。
【００３１】
材料流を貫いて高電圧による絶縁破壊を生じさせるために、電極ユニットに、好適には１００ＫＶ〜３００ＫＶの範囲、特に１５０ＫＶ〜２００ＫＶの範囲の高電圧パルスが供給され、好適には、１パルスあたりの電力量は、１００ジュール〜１０００ジュール、特に３００ジュール〜７５０ジュールである。高電圧パルス周波数は、好適には０．５Ｈｚ〜４０Ｈｚの範囲、特に５Ｈｚ〜２０Ｈｚの範囲にあり、材料流が電極ユニットのそばを通過案内される際、通過案内方向における材料流の延在長さ１ミリメートルにつき、好適には０．１〜２．０、特に０．５〜１．０の、高電圧による絶縁破壊が材料流に生ぜしめられる。
【００３２】
本発明の第２の態様は、本発明の第１の態様に基づく方法を実施するための装置に関する。
【００３３】
当該装置は、１つまたは複数の高電圧電極および高電圧電極に対応配置された対向電極を備えた電極ユニットを有している。当該装置の高電圧電極には、１つまたは複数の高電圧発生器により、高電圧パルスを供給することができる。
【００３４】
さらに当該装置は、好適には搬送ベルトまたは搬送チェーンの形態の搬送装置を有しており、この搬送装置は少なくとも部分的に、処理液、特に水で満たされた、または満たすことのできる槽内に配置されており、搬送装置を用いて、所定の運転中に、流し込み可能な破片化および／または弱化されるべき材料から成る材料流を、処理液に浸漬させた状態で電極ユニットのそばを通過させて案内することができる一方で、電極ユニットの電極に高電圧パルスを供給することにより、高電圧による絶縁破壊が材料流を貫いて生ぜしめられるようになっている。
【００３５】
当該装置は、所定の運転中に電極ユニットの電極が上方から処理液中に浸漬されており、これらの電極のうち、間に高電圧による絶縁破壊が生ぜしめられる各電極は、それぞれ材料通過案内方向に対して横方向に所定の電極間隔をあけて向かい合うように形成されている。
【００３６】
本発明に基づく装置を用いて、既に説明した利点を有する本発明の第１の態様に基づく方法を実施することは、簡単に可能である。
【００３７】
１つの好適な実施形態では、当該装置は、所定の運転中に、それぞれの間に高電圧による絶縁破壊が生ぜしめられる高電圧電極と対向電極とが、材料流と接触するか、またはそれどころか材料流内に浸漬されるように、形成されている。
【００３８】
材料および破片化されるべき材料のピースサイズ、および／または処理液の種類もしくは質に応じて、上記実施形態のうちの一方または他方がより好適な場合もある。
【００３９】
当該装置の１つの別の好適な実施形態では、それぞれの間に高電圧による絶縁破壊が生ぜしめられる各電極間の間隔は、それぞれ４０ｍｍを上回り、さらに好適にはそれぞれ８０ｍｍを上回っている。これにより、相応に大きな材料塊が、材料流中に浸漬された電極のそばで、これらの電極間を通り抜けて移動することができるようになっており、このことから、高電圧による絶縁破壊を材料塊に特に集中的に生ぜしめることが可能になる、という利点が生じる。またこれにより、当該装置を簡単に、材料流のほぼ全幅にわたり、高電圧による絶縁破壊を生ぜしめることができるように形成することも可能になり、このこともやはり好適である。
【００４０】
さらに別の１つの好適な実施形態では、当該装置は、電極ユニットの下流側に、材料流の処理済み材料またはその一部を、所望の目標サイズよりも大きなピースサイズを有する粗材料と、所望の目標サイズ以下のピースサイズを有する細かい材料とに分けることができる装置、特にふるい装置を有している。
【００４１】
当該装置のさらに別の１つの好適な実施形態では、電極ユニットは、複数の電極対または電極群を有している。各電極対もしくは各電極群には、それぞれ１つの専用の高電圧発生器が対応配置されており、１つの高電圧発生器により、専ら１つの電極対もしくは１つの電極群だけに、所定の運転中に高電圧パルスを供給することができる。これにより、電極ユニットのそばを通過案内される材料流に対する、特に集中的な供給が可能になる。
【００４２】
電極対とは、ここでは所定の運転中に、対応配置された高電圧発生器により高電圧パルスを供給される１つの高電圧電極と、この高電圧電極に対応配置された単一の対向電極とを組み合わせたものであって、これらの電極間で、所定の運転中に高電圧による絶縁破壊が行われるものを意味する。
【００４３】
電極群とは、ここでは所定の運転中に、対応配置された高電圧発生器により高電圧パルスを供給される１つの高電圧電極と、この高電圧電極に対応配置された複数の対向電極とを組み合わせたものであって、これらの電極間で、通常の運転中に高電圧による絶縁破壊が行われるものを意味する。一般に、その時々の高電圧による絶縁破壊は、高電圧電極と、高電圧電極との間での絶縁破壊にちょうど最も好条件の１つの対向電極との間で行われる。
【００４４】
当該装置のさらに別の１つの好適な実施形態では、搬送装置が材料流を、電極ユニットのそばを通過させて案内する領域では少なくとも、搬送装置は横断面で見て溝状に、好適にはＶ字形に形成されている。これにより、流し込み可能な材料を側方領域から中央に案内することができるので、高電圧による絶縁破壊を材料流の全幅にわたってほぼ完璧に生じさせることが簡単になる、という利点が生じる。
【００４５】
有利には、搬送装置は可撓性で非導電性の搬送ベルトであり、この搬送ベルトにより材料流は、所定の運転中に電極ユニットのそばを通過案内されるようになっており、搬送ベルトの縁部領域は、搬送ベルトが材料流を電極ユニットのそばを通過させて案内する領域では、上向きに湾曲している。このような搬送ベルトは丈夫で保守整備が少なく、種々様々な構成およびサイズで市販されている。搬送ベルトの縁部領域の傾斜は、好適にはその時々の処理を最適化するために調整可能である。搬送ベルトは両端部において、好適には平らになっており、これにより、縁部領域の最小限の延伸が実現されている。
【００４６】
好適には、当該装置の搬送装置は、所定の運転中に材料流が、搬送ベルトにより電極ユニットの側を通過案内され、そこで高電圧による絶縁破壊を介して破片化もしくは弱化される領域の下流側で、搬送ベルトにより上流側へ送られるように形成された搬送ベルトを有しており、好適には、材料流が搬送ベルトにより処理液から導出されるようになっている。このようにして、処理液から処理済み材料を取り出すための、手間のかかる付加的な装置を省くことができる。
【００４７】
このことは、材料流の材料通過案内方向に、特に１０〜３５度の上昇角度で上昇する直線的な搬送ベルトを使用することにより、特に簡単かつ廉価に実行することができる。
【００４８】
本発明の第３の態様は、流し込み可能な材料を破片化および／または弱化するための多段式の設備に関し、この設備は、材料搬送方向に連続的に接続された、本発明の第２の態様に基づく装置を複数有している。
【００４９】
当該設備は、設備の所定の運転中に、上流側の第１の装置の搬送ベルトにより搬送される材料流が、この搬送ベルトの引渡し端部から、好適には所定の目標サイズにまで破砕された材料片をふるい落とすための装置を介して、その下に位置する、材料搬送方向において第１の装置に続く第２の装置の搬送ベルトの供給端部に供給され、この搬送ベルトにより、材料流がこの第２の装置の電極ユニットのそばを通過案内されると同時に、さらに破片化および／または弱化されるように構成されている。
【００５０】
このような多段式の設備により、大量の材料を処理することができる。
【００５１】
本発明の第４の態様は、非金属材料と金属材料とから成る複合体を形成している材料塊、好適には廃棄物燃焼から生じるスラグ塊を破片化および／弱化するための、本発明の第２の態様に基づく装置または本発明の第３の態様に基づく設備の使用である。
【００５２】
このような使用では、本発明の利点が特に顕著に現れる。
【００５３】
本発明の別の構成、利点および用途は、各従属請求項および図面に基づく以下の説明から明らかである。
【図面の簡単な説明】
【００５４】
【図１】第１の運転モードにある、本発明による第１の装置を上から見た図である。
【図２】第１の装置を図１に示した線Ａ−Ａに沿って鉛直に断面した図である。
【図３】第１の装置を図１に示した線Ｂ−Ｂに沿って鉛直に断面した図である。
【図４】第２の運転モードにある第１の装置を上から見た図である。
【図５】図１に示した装置の電極ユニットの、複数の電極のうちの１つを示す側面図である。
【図６】図５に示した高電圧電極の第１の変化態様を示す側面図である。
【図７】図５に示した高電圧電極の第２の変化態様を示す側面図である。
【図８】本発明による第２の装置を図１０に示す線Ｄ−Ｄに沿って長手方向に断面した図である。
【図９】図８に示した装置を上から見た図である。
【図１０】図８に示した線Ｃ−Ｃに沿って装置を横方向に断面した図である。
【図１１】本発明による第３の装置を図１３に示す線Ｅ−Ｅに沿って長手方向に断面した図である。
【図１２】図１１に示した装置を上から見た図である。
【図１３】図１１に示した線Ｆ−Ｆに沿って装置を横方向に断面した図である。
【図１４】本発明による設備を図１６ａに示す線Ｇ−Ｇに沿って長手方向に断面した図である。
【図１５】図１４に示した設備を上から見た図である。
【図１６】図１６ａおよび図１６ｂは、図１４に示した線Ｈ−Ｈに沿って設備を横方向に断面した図である。
【図１７】図１４に示した設備の個々の装置の異なる変化態様を、図１４と同様に長手方向に断面した図である。
【図１８】図１４に示した設備の個々の装置の異なる変化態様を、図１４と同様に長手方向に断面した図である。
【図１９】図１４に示した設備の個々の装置の異なる変化態様を、図１４と同様に長手方向に断面した図である。
【発明を実施するための形態】
【００５５】
図１〜図３には、高電圧放電を用いた、流し込み可能な材料１を破片化するための本発明による第１の装置が、上から見た図（図１）と、図１に示した線Ａ−Ａに沿った鉛直方向断面図（図２）と、図１に示した線Ｂ−Ｂに沿った鉛直方向部分断面図（図３）とで示されている。
【００５６】
認められるように、この装置は、円環状の底板１０と、底板１０に固く結合され、底板１０から鉛直方向上向きに突出している円筒状の外壁９と、底板１０には結合されていない状態で底板１０から鉛直方向上向きに突出している円筒状の内壁１１とから形成された、メリーゴーラウンド状の装置９，１０，１１を有している。底板１０は平らで一貫して閉じられており、ローラ環２４を介して固定の支持構造体の円環状の支持部材２５に支持されており、所定の運転中に、底板１０の円環形状の中心を通って延びる鉛直方向回転軸線Ｚを中心として、駆動モータ２６によって回転方向Ｒで回転され、これにより底板１０に載置された破片化されるべき材料１が、円環状もしくは円環セグメント状の材料流４を、回転軸線Ｚを中心として回転方向Ｒに形成することになる。
【００５７】
メリーゴーラウンド状の装置９，１０，１１は、水５（処理液）で満たされた円形の槽２７内に配置されており、槽２７の底部には、円環状の支持部材２５が貫通している。メリーゴーラウンド状の装置９，１０，１１は、外壁９および内壁１１の上部画成縁部を除いて完全に槽２７内の水５中に浸漬されている。円環状の支持部材２５の内側の領域では、槽２７の底部は、下向きに延在する円形の漏斗１９により形成され、漏斗１９の下端部は搬送ベルト２０の上で終わっており、搬送ベルト２０は、斜め上方に向かって槽２７の水面を上回るレベルにまで搬送すると共に（ここではスペース上の理由から全体は図示せず）、漏斗下端部に接続され槽２７と共に水密な容器を形成するケーシング３０内に配置されている。槽２７は、環状の保護壁３１により包囲されており、保護壁３１には、搬送ベルトのケーシング３０と搬送ベルト２０とが貫通している。
【００５８】
さらに認められるように、当該装置は、メリーゴーラウンド状の装置９，１０，１１の上方に配置された電極ユニット２を有している。電極ユニット２は、マトリックス状に配置された多数の高電圧電極１２を有しており、これらの高電圧電極１２は、例えばメリーゴーラウンド状の装置９，１０，１１の円環形状の２７０°の範囲にわたって延在している。この場合、各高電圧電極１２は、図示の状態では上方から、メリーゴーラウンド状の装置９，１０，１１内を案内される円環セグメント状の材料流４の表面のすぐ上まで下方に向かって突出している。各高電圧電極１２は水５中に浸漬されており、各高電圧電極１２のすぐ上に配置された１つの専用の高電圧発生器３を有しており、運転中、この高電圧発生器３により、各高電圧電極１２に高電圧パルスが供給される。図面では見やすくするために、複数の高電圧電極と複数の高電圧発生器のうちのそれぞれ１つだけに符号１２，３を付してあるに過ぎない。
【００５９】
当該装置の電極ユニット２の複数の高電圧電極１２のうちの１つを側面図で示す図５から判るように、各高電圧電極１２は、アース電位に位置する１つの専用の対向電極１３を有している。高電圧電極１２と、これらに対応配置された対向電極１３とは、それぞれ材料通過案内方向に対して横方向に間隔をあけて向かい合っており、図示の所定の運転中に、各高電圧電極１２に高電圧パルスが供給されることにより、高電圧電極１２と、これらに対応配置された対向電極１３との間で、高電圧による絶縁破壊が材料流４の材料１を貫通して生じるように、それぞれ配置されている。つまり、高電圧電極１２は、これらに対応配置された単一の対向電極１３と共に、要求に応じた電極対１２，１３を形成している。
【００６０】
図６および図７には、図５に示した高電圧電極の２つの変化態様の側面図が示されている。
【００６１】
図６に示す高電圧電極１２は、図５に示した高電圧電極と実質的に、鏡像的に対向して位置しており、各自由端部がそれぞれ高電圧電極１２に向かって傾けられた２つの同一の対向電極１３を有しているという点において相違している。つまり、この高電圧電極１２は、２つの対向電極１３と共に、要求に応じた電極群１２，１３を形成している。別の相違点は、この高電圧電極１２が真っ直ぐな電極先端部を有している点にある。
【００６２】
図７に示す高電圧電極１２は、図６に示した高電圧電極と実質的に、この場合は図６に示した鏡像的に対向して位置する２つの対向電極１３が、高電圧電極１２の下側で結合され、単一のＵ字形の対向電極１３が形成されているという点において相違している。
【００６３】
処理もしくは処理されるべき材料に応じて、電極１２と対向電極１３とが材料流内に浸漬されることも想定されている。
【００６４】
さらに認められるように、当該装置は、閉じられたケーシング３０内に配置された供給搬送ベルト１５を有しており、供給搬送ベルト１５により、電極ユニット２の上流側の破片化されるべき材料１、この場合は貴金属−鉱石１の欠片が、メリーゴーラウンド状の装置９，１０，１１の底板１０に供給される。
【００６５】
円環セグメント状の材料流４として電極ユニット２の下方を通過案内される材料ばら荷１の高さは、メリーゴーラウンド状の装置９，１０，１１と電極ユニット２との間に形成された領域（処理ゾーン）に進入する前に、通過制限板３３により確定される。
【００６６】
電極ユニット２の下流側には、固定の第１の案内板１７が位置しており、第１の案内板１７は、メリーゴーラウンド状の装置９，１０，１１の外壁９から、メリーゴーラウンド状の装置９，１０，１１の内壁１１の第１の中断部２３を通って、メリーゴーラウンド状の装置９，１０，１１の中心領域７にまで延在しており、図示の所定の運転中に、処理ゾーンから流出する材料流４を、内壁１１の第１の中断部２３を介して実質的に完全に中心領域７内へもたらす。
【００６７】
中心領域７の底部は、平らなふるい底部８として形成されており、目標サイズにまで破片化された材料１ａがふるい開口を通過し、その下に配置された漏斗１９内へ落下する一方で、目標サイズよりも大きな材料１ｂは、ふるい底部８に残留し続けるように寸法決めされた、ふるい開口サイズを備えている。処理済みの、もしくは目標サイズにまで破砕された材料１ａは、漏斗１９から搬送ベルト２０上に送られ、搬送ベルト２０により当該装置から搬出される。
【００６８】
処理が済んでいない、もしくは未だ目標サイズにまで破砕されていない材料１ｂは、後続の材料１によりふるい底部８にわたって押しずらされ、第１の案内板１７に続いている固定の第２の案内板２１により、内壁１１の第２の中断部２８を介して中心領域７から円環セグメント状の材料流４内へ戻し案内され、材料流４により材料１ｂは再び、電極ユニット２の高電圧電極１２の一部のそばを通過案内され、その際に高電圧による絶縁破壊が生ぜしめられる。
【００６９】
図１に示した線Ｂ−Ｂに沿った、第１の装置の処理ゾーン領域の一部の鉛直方向断面図を示す図３から判るように、メリーゴーラウンド状の装置９，１０，１１の底板１０は、ゴム製の摩耗防止層２９で覆われた上面を有しており、この上面に、処理されるべき材料１が載置されている。
【００７０】
図４には、別の運転モードにある当該装置を上から見た図が示されている。看取されるように、この場合は第２の案内板２１が、内壁１１の第２の中断部２８を中心領域７の側から閉鎖しかつ導出ダクト３４を開放する位置に配置されており、導出ダクト３４内に、後続の材料１によりふるい底部８にわたって押しずらされる、処理が済んでいない、もしくは未だ目標サイズにまで破砕されていない材料１ｂが落下し、次いで複数の装置（図示せず）により当該装置から導出されるようになっている。
【００７１】
図８〜図１０には、高電圧放電を用いた、流し込み可能な材料１を破片化するための本発明による第２の装置が、図１０に示した線Ｄ−Ｄに沿った長手方向断面図（図８）と、上から見た図（図９）と、図８に示した線Ｃ−Ｃに沿った横方向断面図（図１０）とで示されている。
【００７２】
認められるように、当該装置は複数の高電圧電極１２から成る１つのマトリックスを備えた電極ユニット２を有しており、これらの高電圧電極１２は、材料通走方向Ｓで見て、連続して配置された４つの列で配置されており、各列は、それぞれ４つの電極１２を備えている（図面では見やすくするために、複数の電極のうちの１つだけに符号１２を付してある）。
【００７３】
電極１２には、図示の所定の運転中に、これらの電極１２のすぐ上に配置された各１つの高電圧発生器３により、高電圧パルスが供給される。
【００７４】
電極ユニット２の下には、水５（処理液）が注入された槽１６内に配置された搬送ベルト６が位置しており、搬送ベルト６により、破片化されるべき流し込み可能な材料１、この場合は鉱石の欠片から成る材料流が、当該装置の供給側Ａから材料通走方向Ｓで、電極ユニット２の電極１２のそばを通過案内される一方で、電極ユニット２に高電圧パルスが供給されることにより、高電圧による絶縁破壊が材料１を貫いて生ぜしめられる。この場合、材料流の材料１は、その上に配置された電極１２と同様に、槽１６内の水５中に浸漬されている。
【００７５】
材料流の高さは、搬送ベルト６と電極ユニット２との間の領域（処理ゾーン）に進入する前に、通過制限板１８により調節される。
【００７６】
図１０から認められるように、搬送ベルト６は、通走方向Ｓで見て槽１６の全幅にわたって延在しており、移動する材料流は、槽１６の全幅をとらえている。
【００７７】
特に図８および図１０から判るように、処理ゾーンを通走する際に、材料流の中央領域に、高電圧による絶縁破壊が発生し、このことは、上記の領域において、材料１をより一層破片化するのに対し、材料流の縁部領域には事実上、高電圧による絶縁破壊は生じないままなので、そこを案内される材料１は、最初のサイズの塊を有している。
【００７８】
電極ユニット２の下流側では、処理ゾーンから流出した材料流が、搬送ベルト６により、槽１６の端部に設けられた、隔壁２２により隔離されかつ搬送ベルト６の全幅にわたり相並んで延在する３つの収集漏斗１４，１４ａ，１４ｂに供給される。各隔壁２２は、破片化された材料１が材料流の中央領域から真ん中の収集漏斗１４に供給される一方で、破片化されていない材料１は、材料流の縁部領域から外側の収集漏斗１４ａ，１４ｂにそれぞれ供給されるように配置されている。
【００７９】
真ん中の収集漏斗１４に供給される破片化された材料１は、搬送装置（図示せず）により槽１６から搬出され、別の用途に供される。外側の収集漏斗１４ａ，１４ｂに供給される破片化されていない材料１は、それぞれ搬送装置（図示せず）により槽１６から搬出され、当該装置の供給側Ａで再び材料流に供給される。
【００８０】
当該装置の電極ユニット２の複数の電極１２のうちの１つを側面図で示す図６から判るように、各高電圧電極１２は、自由端部がそれぞれ高電圧電極１２に向かって傾けられた、鏡像的に向かい合う２つの同一の対向電極１３を有しており、これらの対向電極１３はアース電位にあり、かつ高電圧電極１２の支持構造体に取り付けられている。高電圧電極１２は両対向電極１３と共に、要求に応じた電極群１２，１３を形成している。各高電圧電極１２と、これらにそれぞれ対応配置された２つの対向電極１３とは、それぞれ材料通過案内方向に対して横方向に間隔をあけて向かい合っており、材料流内に浸漬させられる。
【００８１】
図１１〜図１３には、高電圧放電を用いた、流し込み可能な材料１を破片化するための本発明による第３の装置が、図１３に示す線Ｅ−Ｅに沿った長手方向断面図（図１１）と、上から見た図（図１２）と、図１１に示す線Ｆ−Ｆに沿った横方向断面図（図１３）とで示されている。
【００８２】
認められるように、当該装置は、材料通走方向Ｓで見て連続して配置された３つの高電圧電極１２を備える電極ユニット２を有している。
【００８３】
この場合も、各高電圧電極１２と、対応配置された対向電極１３とは、図６に示したように形成されており、それぞれ材料通過案内方向に対して横方向に間隔をあけて向かい合っており、材料流内に浸漬されている。
【００８４】
さらに、各高電圧電極１２および対向電極１３の位置が破線で示されている図１２から認められるように、これらの電極群１２，１３は、材料通走方向Ｓで見て、それぞれ互いに側方にずらされている。
【００８５】
高電圧電極１２は、図示の所定の運転中に、高電圧電極１２のすぐ上にそれぞれ配置された高電圧発生器３により、高電圧パルスが供給される。
【００８６】
電極ユニット２の下には、水５（処理液）が注入された槽１６内に配置され、材料通走方向Ｓに１０度の角度で上昇する、可撓性で非導電性のベルト材料（繊維強化ゴム）から成る直線的な搬送ベルト６が位置している。搬送ベルト６により、破片化されるべき流し込み可能な材料１、この場合は最大ピースサイズが８０ｍｍの、廃棄物燃焼から生じたスラグ塊から成る材料流が、当該装置の供給側Ａから材料通走方向Ｓで電極ユニット２の電極１２，１３のそばを通過案内される一方で、電極ユニット２の高電圧電極１２に高電圧パルスが供給されることにより、高電圧による絶縁破壊が材料１を貫いて生ぜしめられる。材料流の材料１は、電極ユニット２の領域において、材料１の上方に配置された電極１２，１３と同様に槽１６内の水５中に浸漬されており、電極１２，１３はさらに、材料流内にも浸漬されている。
【００８７】
同時に、槽１６の底部に配置された導出導管３５を介して、処理水が槽１６から導出され、水調製設備（図示せず）に供給され、水調製設備により調製された処理水は、電極１２，１３の各領域において水を材料流中に噴射する供給導管３６を介して、槽１６に送り戻される。
【００８８】
図１２および図１３から認められるように、搬送ベルト６の縁部領域は、搬送ベルト６が材料流を、電極ユニット２のそばを通過させて案内する領域において、上向きに湾曲しており、その結果、搬送ベルト６は前記領域では横断面で見て溝状もしくはＶ字形に形成されており、材料流の流し込み可能な材料１が、側方領域から中央に案内されるようになっている。
【００８９】
これにより、材料流には実質的にその全幅にわたって高電圧による絶縁破壊が生ぜしめられ、これは材料流全体の破片化をもたらす。
【００９０】
搬送ベルトの縁部領域の傾斜角度は調節可能であり、これにより当該装置を、処理されるべき材料もしくはそのピースサイズに最適に適合させることができる。搬送ベルト６は、その両端部の領域では平らである。
【００９１】
電極ユニット２の下流側で処理ゾーンから流出した材料流は、搬送ベルト６により上方に向かって槽１６から導出され、次いで別の使用ステップもしくは処理ステップ（図示せず）に供給される。
【００９２】
図１４、図１５、図１６ａおよび図１６ｂには、高電圧放電を用いた、流し込み可能な材料１を破片化するための本発明による設備が、図１６ａに示す線Ｇ−Ｇに沿った長手方向断面図（図１４）と、上から見た図（図１５）と、図１４に示す線Ｈ−Ｈに沿った２つの横方向断面図（図１６ａおよび図１６ｂ）とで示されている。
【００９３】
認められるように、この設備は連続的に接続された、図１１〜図１３に示した３つの装置から成っており（３段）、各装置は、材料通走方向Ｓで連続して互いにずらされて配置され、それぞれ専用の高電圧発生器３を備えた３つの電極群１３，１２，１３の代わりに、それぞれ高電圧発生器３が対応配置され、中央に配置された唯一の電極群１３，１２，１３しか有していない、という点において相違している。さらに、この場合の搬送ベルト６の１５度の上昇角度は、上で図１１〜図１３につき説明した本発明による第３の装置の場合よりも大幅に急峻である。その他の細部は全て同一に形成されているので、ここで改めて説明はしない。
【００９４】
図１６ａおよび図１６ｂには、図１４に示した線Ｈ−Ｈに沿った当該設備の横方向断面図が（槽および高電圧発生器無しで）、図示の搬送ベルト６の縁部領域の傾斜角度αがそれぞれ異なって調節された状態で、つまり傾斜角度αが２３度（図１６ａ）の場合と、傾斜角度αが３３度（図１６ｂ）の場合とで示されている。
【００９５】
図１７〜図１９には、図１４、図１５、図１６ａおよび図１６ｂに示した設備の各装置のうちの１つの種々様々な変化態様を、図１４と同様に長手方向に断面した図が示されている。
【００９６】
図１７に示す第１の装置変化態様が図１４に示した装置と相違している点は、処理されるべき材料が装置の供給端部Ａに、槽１６の外側に配置された傾斜ふるい面３７を介して供給され、例えば設備内での装置の配置場所に応じて２ｍｍ未満、５ｍｍ未満、または８ｍｍ未満の所定のピースサイズを有する細かい材料は傾斜ふるい面３７により、当該装置に進入する前にふるい落とされる、という点である。
【００９７】
図１８に示す第２の装置変化態様が図１４に示した装置と相違している点は、処理されるべき材料が装置の供給端部Ａにおいて、槽１６内に配置された傾斜ふるい面３８を介して装置の搬送ベルト６に供給され、例えば設備内での装置の配置場所に応じて２ｍｍ未満、５ｍｍ未満、または８ｍｍ未満の所定のピースサイズを有する細かい材料は傾斜ふるい面３８により、当該装置の槽１６内で処理ゾーンに進入する前にふるい落とされる、という点である。
【００９８】
図１９に示す第３の装置変化態様は、図１８に示した装置から成り、その引渡し端部において、処理済みの材料が傾斜ふるい面４１に引き渡され、所望のピースサイズにまで破片化された材料は傾斜ふるい面４１を通過して、その下に配置された引き続く搬送ベルト３９上に落下する。十分に破片化されなかった材料は、ふるい面４１にわたって移動して、ふるい面４１の端部において搬送ベルト４０上に落下し、搬送ベルト４０により装置の供給端部に送り戻され、そこで再び、処理されるべき材料流１に供給される。
【００９９】
図１７〜図１９に示した各装置は、それぞれ単独でも本発明による装置を形成する。
【０１００】
本出願において本発明の好適な構成を説明する一方で明確に指摘しておかねばならないのは、本発明はこれらの構成に限定されるものではなく、以下の各請求項の範囲内で、別の形式で構成されてもよいということである。
【図１】
2018506429.tif 000003
【図２】
2018506429.tif 000004
【図３】
2018506429.tif 000005
【図４】
2018506429.tif 000006
【図５】
2018506429.tif 000007
【図６】
2018506429.tif 000008
【図７】
2018506429.tif 000009
【図８】
2018506429.tif 000010
【図９】
2018506429.tif 000011
【図１０】
2018506429.tif 000012
【図１１】
2018506429.tif 000013
【図１２】
2018506429.tif 000014
【図１３】
2018506429.tif 000015
【図１４】
2018506429.tif 000016
【図１５】
2018506429.tif 000017
【図１６ａ】
2018506429.tif 000018
【図１６ｂ】
2018506429.tif 000019
【図１７】
2018506429.tif 000020
【図１８】
2018506429.tif 000021
【図１９】
2018506429.tif 000022
【国際調査報告】
2018506429.tif 000023
2018506429.tif 000024
2018506429.tif 000025
2018506429.tif 000026